(57)【要約】【課題】本発明は、高反射率の反射板を取り付けることによって省エネ化に優れた直管蛍光灯照明器具を提供することを目的とするものである。【解決手段】本発明は、細長いチャンネル状のソケット取付部２の両端側に配置されるソケット３間にシェード４が取付けられる直管蛍光灯照明器具１において、前記シェード４の内面に、高反射率の反射面９，１０が形成されることにより、従来の照明器具による蛍光灯数より少ない数の蛍光灯を使用して、従来以上の照度を得ることができる。【選択図】図１
2007184147.tif 000002
【特許請求の範囲】
【請求項１】
細長いチャンネル状のソケット取付部の両端側に配置されるソケット間にシェードが取付けられる直管蛍光灯照明器具において、
前記シェードの内面に、高反射率の反射面が形成される
ことを特徴とする直管蛍光灯照明器具。
【請求項２】
前記反射面が、９０％以上の反射率を有する
ことを特徴とする請求項１記載の直管蛍光灯照明器具。
【請求項３】
前記シェードがソケット取付部に対して着脱自在とされる
ことを特徴とする請求項１または２記載の直管蛍光灯照明器具。
【請求項４】
前記シェード内面に形成される反射面が左右対称に所定の角度を持って複数面形成される
ことを特徴とする請求項１、２または３記載の直管蛍光灯照明器具。
【発明の詳細な説明】
【技術分野】
【０００１】
本発明は照明器具に関する。詳しくは効率の良い反射によって照度を向上させた蛍光灯を備えた直管蛍光灯照明器具に係るものである。
【背景技術】
【０００２】
従来工場や倉庫等の施設においては、図６に示すように、細長いチャンネル状の器具本体１０１は、天井面１０２に固定され、両端部には断面がほぼ逆台形状のソケット取付具１０３が配置され傾斜状のソケット取付部１０４と、ほぼ水平状に形成されて器具本体１０１に取付けられる取付部１０５と、ソケット取付部１０４に連続してほぼ水平に屈曲された係止部１０６とから構成されている。
そしてソケット取付部１０４にはソケット１０７が取付けられ、器具本体１０１の下方には断面がほぼ逆台形状に形成された反射板１０８が、ソケット取付具１０４及び器具本体１０１を覆うように取付けられる（特許文献１参照。）。
【０００３】
【特許文献１】特開平８−２９８０１２号公報（要約書、第１図）
【発明の開示】
【発明が解決しようとする課題】
【０００４】
しかしながら前記の直管式蛍光灯照明器具では、反射板の断面がほぼ逆台形状に形成されているために、蛍光灯から照射される光は反射板によって広範囲に反射されることになり、店舗や事務所のように天井面を照らして部屋全体を明るくするには適するものであるが、工場などのように照明灯の下方で作業をする場合では、照明が分散されることから充分な照度が得られず、最低でも２灯式の直管式蛍光灯照明器具を天井に設置する必要性が生ずる。
【０００５】
しかしながら工場や倉庫等の特に規模が大きい施設においては、照明の数も増加し、照明に係るコストは増大する。このため少なくとも照度を低下させることなく照明に係るコストをダウンさせることができる照明が望まれている。
【０００６】
本発明は、以上の点に鑑みて創案されたものであって、高反射率の反射板を取り付けることによって省エネ化に優れた直管蛍光灯照明器具を提供することを目的とするものである。
【課題を解決するための手段】
【０００７】
上記の目的を達成するために、本発明に係る直管蛍光灯照明器具は、細長いチャンネル状のソケット取付部の両端側に配置されるソケット間にシェードが取付けられる直管蛍光灯照明器具において、前記シェードの内面に、高反射率の反射面が形成される。
【０００８】
ここで、シェード内面に９０％以上の反射率を有する反射面を形成することにより、従来の照明器具による蛍光灯数より少ない数の蛍光灯を使用して、従来以上の照度を得ることができる。
【０００９】
また、前記シェード内面に形成される反射面が左右対称に所定の角度を持って複数面形成されることにより、蛍光灯が点灯されたときに、複数の反射面に蛍光灯全体が映し出されることで高効率の照度を得ることが可能となる。
【発明の効果】
【００１０】
以上のように構成される本発明の照明器具によれば、高反射率の反射板を設けることによって、当該照明器具が設置される場所において必要とされる照度を、従来の照明器具に比較して直管蛍光灯の本数を減らして使用して実現することができる。これにより消費電力を低くした状態で照度を維持したまま照明にかかるコストをダウンさせることができるという効果がある。
【００１１】
また、蛍光灯の消費電力低下によって蛍光灯を点灯させる安定器の容量を低下させることができるための、本発明の照明器具のランニングコストはより低下する。更に蛍光灯の本数を減らすことが可能となることにより１台当たりのコストが低くなり、照明器具を本発明の照明器具に交換し、一定期間使用すれば照明器具の交換にかかるコストはペイされる。
【００１２】
また、シェードの内面に蛍光灯全体が映し出される複数の反射面を形成することにより、蛍光灯を点灯した場合にシェードの内面に複数の蛍光灯が映し出されて非常に効率のよい照度を確保することが可能となる。
【発明を実施するための最良の形態】
【００１３】
以下、本発明の実施の形態を図面を参酌しながら説明し、本発明の理解に供する。
図１に、本発明を適用した直管蛍光灯照明器具の一例を示す側端面説明図、図２に、図１における平面説明図を示す。
【００１４】
ここで示す照明器具本体１は、直管蛍光灯の長さ以上とした細長い箱形状のソケット取付部２と、そのソケット取付部２の両端側に取付けられるソケット部３、３と、該ソケット部３、３間のケット取付部２面に取付けられるシェード４とから構成される。
【００１５】
前記ソケット取付部２は、図３に示すように天井面に固定できるように締結ネジ用穴５や天井から吊り下げるためのフック用溝６および電源コード挿通用穴７などが開設される。
【００１６】
そして前記ソケット取付部２内には蛍光灯を点灯させるための安定器（図示せず。）およびソケット部３、３に接続されるコード（図示せず。）などが収納される。
また、ソケット部３、３間のソケット取付部２面には反転自在としたシェード係止用爪部８、８が枢着される。
【００１７】
次に図４（イ）、（ロ）、（ハ）で示すようにシェード４は、陽極酸化処理によってアルミ母材の反射面にチタン・シリコン等をコーティングすることに全光反射率が概ね９５％程度である金属材料を使用するものである。
【００１８】
そこでシェード４は、側端面が水平状の上面反射面９から左右側へそれぞれ３面の両側反射面１０が形成される略台形状に折り曲げ形成されるものである。そしてシェード４の上面反射面９の両側端には、ソケット部３、３を嵌入するための切り込み部１１、１１が切欠開口される。
【００１９】
また、前記シェード４の上面反射面９の長手方向中央に沿って前記ソケット取付部２面に反転自在に枢着されるシェード係止用爪部８、８が挿通可能とされる係留用長孔１２が開設され、該係留用長孔１２にシェード係止用爪部８、８を差し込み、シェード係止用爪部８、８を略９０度反転させることでシェード４がシェード係止用爪部８、８によってソケット取付部２面に取付けることができる構成とするものである。
【００２０】
また、前記シェード４の上面反射面９にはグロー球挿入穴１３が開設され、更に前記シェード４の両側反射面１０の長手方向両側端には折返し片１４が折曲形成され、シェード４に強度を持たせる構成とするものである。
【００２１】
なお、本実施例では直管蛍光灯が１本の場合における照明器具について詳述するものであるが、必ずしも直管蛍光灯が１本である必要性はなく、例えば２本、あるいは３本などの複数本の直管蛍光灯式照明器具であっても構わない。
【００２２】
このように複数本の直管蛍光灯式照明器具の場合では図５に示すように、シェード４の上面反射面９の端幅を２本の蛍光灯が取り付けられる幅とする。
【００２３】
本発明の直管蛍光灯照明器具では、工場などの作業ラインの天井に沿って取り付けた場合に、全光反射率が概ね９５％である高反射率の反射部材がコーティングされるシェード４によって、蛍光灯から照射される光は全て下方向へ反射される。
【００２４】
また、シェード４の上面反射面９およびそれぞれの両側反射面１０に蛍光灯が映し出されるために、シェード４を正面から見た場合には、合計７本の蛍光灯がシェード４面に映し出された状態となり照度が非常に高くなる。
【００２５】
例えば、従来の一本の直管蛍光灯照明器具により蛍光灯より１．８ｍ離れた場所での照度は約５４０ＬＵＸであった。それに対して本発明の一本の直管蛍光灯照明器具により蛍光灯より１．８ｍ離れた場所での照度は約１５１０ＬＵＸであり、従来と比較して２．８倍ほどの照度を得ることが可能となった。
【００２６】
すなわち、従来の２本の直管蛍光灯照明器具による照度以上の照度を得ることができ、これにより従来の２本の直管蛍光灯照明器具を本発明の１本の直管蛍光灯照明器具に取り替えることによって従来の２本の直管蛍光灯照明器具による照度以上の照度を得ることが可能となる反面、従来の２分の１の消費電力で良く、非常に消費電力の低減を図ることが可能となる。
【図面の簡単な説明】
【００２７】
【図１】本発明を適用した直管蛍光灯照明器具の一例を示す側端面説明図である。
【図２】図１における平面説明図を示す。
【図３】本発明を適用した直管蛍光灯照明器具のソケット取付部の平面説明図である。
【図４】本発明を適用した直管蛍光灯照明器具のシェードの説明図である。
【図５】本発明を適用した直管蛍光灯照明器具の他の例を示す側端面説明図である。
【図６】従来の直管蛍光灯照明器具の一例を示す説明図である。
【符号の説明】
【００２８】
１      照明器具本体
２      ソケット取付部
３      ソケット部
４      シェード
５      締結ネジ用穴
６      フック用溝
７      電源コード挿通用穴
８      シェード係止用爪部
９      上面反射面
１０    両側反射面
１１    切り込み部
１２    係留用長孔
１３    グロー球挿入穴
１４    折返し片
【図１】
2007184147.tif 000003
【図２】
2007184147.tif 000004
【図３】
2007184147.tif 000005
【図４】
2007184147.tif 000006
【図５】
2007184147.tif 000007
【図６】
2007184147.tif 000008